(57)【要約】【課題】モバイル通信端末機およびコンテンツ提供システムを改良すること。【解決手段】ユーザにコンテンツを提供するための移動通信端末機は、デフォルトとして設定された１つ以上のコンテンツと１つ以上の新しいコンテンツとをサーバから受信する送受信器と、デフォルトとして設定された前記コンテンツと前記新しいコンテンツとを表示する表示部と、前記送受信器と前記表示部とを制御してデフォルトとして設定された前記受信されたコンテンツを表示し、新しいコンテンツが受信された場合に、前記新しいコンテンツを表示するコントローラとを含む。【選択図】図１
2007116715.tif 000002
【特許請求の範囲】
【請求項１】
デフォルトとして設定された１つ以上のコンテンツと１つ以上の新しいコンテンツとをサーバから受信する送受信器と、
デフォルトとして設定された該コンテンツと該新しいコンテンツとを表示する表示部と、
該送受信器と該表示部とを制御して、デフォルトとして設定された該受信されたコンテンツを表示し、該新しいコンテンツが受信された場合に、該新しいコンテンツを表示するコントローラと
を含む、ユーザにコンテンツを提供するための移動通信端末機。
【請求項２】
前記コントローラは、アップデート機能を使用することにより、前記サーバから
前記表示されるコンテンツを定期的にアップデートする、請求項１に記載の端末機。
【請求項３】
前記コントローラは、前記移動通信端末機を登録サーバに登録して、該移動通
信端末機がアップデート機能を使用することを通知する、請求項２に記載の端末機。
【請求項４】
前記コントローラは、ユーザの選択にしたがって前記登録を設定および解除する、
請求項３に記載の端末機。
【請求項５】
前記コントローラは、前記送受信器から受信されたコンテンツに含まれる予め設
定されたオプションを分析して、その分析結果にしたがって該コンテンツの表示
を制御する、請求項１に記載の端末機。
【請求項６】
前記予め設定されたオプションは、識別（ＩＤ）、シーケンス番号、開始時間及
び終了時間を含む、請求項５に記載の端末機。
【請求項７】
前記開始時間は、前記コンテンツが表示され始める時点をカウントされる、請求
項６に記載の端末機。
【請求項８】
前記終了時間は、前記開始時間がカウントされ始める時点からカウントされる、
請求項６に記載の端末機。
【請求項９】
前記表示部は、デフォルトとして設定された少なくとも１つ以上の前記コンテン
ツと前記新しいコンテンツとを予め設定された時間間隔で順次表示する、請求項１
に記載の端末機。
【請求項１０】
前記表示部は、前記コンテンツを水平方向または垂直方向に順次表示する、請求
項１に記載の端末機。
【請求項１１】
前記表示部は、該表示部の上方、下方、側方の領域の少なくとも１つに前記コン
テンツを表示する、請求項１に記載の端末機。
【請求項１２】
新しいコンテンツが受信された場合に、デフォルトとして設定された１つ以上のコンテンツと、１つ以上の新しいコンテンツとを表示する移動通信端末機と、
該デフォルトのコンテンツと該新しいコンテンツとの１つ以上を該端末機に提供するサーバと
を含む、コンテンツ提供システム。
【請求項１３】
前記移動通信端末機は、アップデート機能を使用することにより、前記サーバか
ら前記表示されるコンテンツをダウンロードする、請求項１２に記載のシステム。
【請求項１４】
前記アップデート機能を使用する少なくとも１つ以上の移動通信端末機を登録する登録サーバをさらに含む、請求項１３に記載のシステム。
【請求項１５】
前記端末機は、前記コンテンツに含まれる予め設定されたオプションを分析して、
その分析結果にしたがって前記コンテンツを表示する、請求項１２に記載のシステ
ム。
【請求項１６】
前記予め設定されたオプションは、識別（ＩＤ）、シーケンス番号、開始時間および終了時間を含む、請求項１５に記載のシステム。
【請求項１７】
前記開始時間は、対応するコンテンツが表示され始める時点からカウントされる、
請求項１６に記載のシステム。
【請求項１８】
前記終了時間は、前記開始時間がカウントされ始める時点からカウントされる、
請求項１６に記載のシステム。
【請求項１９】
デフォルトとして設定された少なくとも１つ以上のコンテンツを表示することと、
新しいコンテンツが受信された場合に、既に表示しているコンテンツの表示を停止するか、または遅延することと、
該新しいコンテンツを表示することと
を含む、ユーザにコンテンツを提供するための方法。
【請求項２０】
前記デフォルトのコンテンツは順次表示される、請求項１９に記載の方法。
【請求項２１】
前記新しいコンテンツは順次表示される、請求項１９に記載の方法。
【請求項２２】
前記新しいコンテンツの優先順位は前記デフォルトのコンテンツの優先順位よりも優先するように設定される、請求項１９に記載の方法。
【請求項２３】
前記デフォルトのコンテンツと前記新しいコンテンツとの少なくとも１つ以上に含まれる予め設定されたオプションを分析して、その分析結果にしたがって表示が実行されること
をさらに含む、請求項１９に記載の方法。
【請求項２４】
前記予め設定されたオプションは、識別（ＩＤ）、シーケンス番号、開始時間及
び終了時間のうちの少なくとも１つ以上を含む、請求項２３に記載の方法。
【請求項２５】
前記開始時間は、対応するコンテンツが表示され始める時点からカウントされる、
請求項２３に記載の方法。
【請求項２６】
前記終了時間は、前記開始時間がカウントされ始める時点からカウントされる、請求項２３に記載の方法。
【請求項２７】
登録サーバに登録すること
をさらに含む、請求項１９に記載の方法。
【請求項２８】
情報を表示するスクリーンと、
通信ネットワークを介してマルチメディア案内を受信する送受信器と、
該送受信器により受信された該マルチメディア案内を保存するメモリと、
該スクリーン、該送受信器、および該メモリと協働するプロセッサであって、
該受信されたマルチメディア案内の少なくとも１つ以上の表示特徴を確認するステップと、
該確認された表示特徴に基づいて、該スクリーン上に該マルチメディア案内を表示する連続的な順序を決定するステップと、
該決定された順序にしたがって、該スクリーン上の動的または静的な位置に該マルチメディア案内を表示するステップと
を実行する、プロセッサと
を含む、移動通信装置。
【請求項２９】
前記表示特徴は、前記スクリーンに表示される各マルチメディア案内に対して１
つ以上のスクリーン位置と表示持続期間とを示す、請求項２８に記載の装置。
【請求項３０】
前記表示特徴は、前記スクリーンに表示される前記マルチメディア案内のサイズ
または解像度を示す、請求項２８に記載の装置。
【請求項３１】
前記プロセッサは、優先順位の設定に基づいて、異なる種類のマルチメディア
案内に対する連続的な表示順序を制御する、請求項２８に記載の装置。
【請求項３２】
緊急な案内は、緊急ではない案内よりも高い表示優先順位を有する、請求項３８に記載の装置。
【発明の詳細な説明】
【技術分野】
【０００１】
本発明は移動通信端末機に関し、特に、ユーザにコンテンツを効果的に提供し得る移動通信端末機およびその方法に関する。
【背景技術】
【０００２】
一般に、移動通信端末機は、ＢＳ（Ｂａｓｅ  Ｓｔａｔｉｏｎ）によって管理されるサービスエリア内で移動中にＭＳＣ（Ｍｏｂｉｌｅ  Ｓｗｉｔｃｈｉｎｇ  Ｃｅｎｔｅｒ）によるスイッチング制御を介することにより、いつでもどこでも相手を無線呼出および無線接続して通信できる装置である。移動通信端末機は、記号、数字、文字などを含むデータ通信だけではなく、映像と画像が含まれているマルチメディア通信をサポートし得る。
【０００３】
前記移動通信端末機は、（１）オンラインゲーム、携帯インターネットサービス、ＶＯＤ（Ｖｉｄｅｏ  Ｏｎ  Ｄｅｍａｎｄ）機能、ファイルダウンロード機能などのオンラインサービスと、（２）チャット、インスタントメッセージ、文字メッセージ、マルチメディアメッセージ、電子メール機能などの各種のメッセージ機能と、（３）音声通話、画像電話などの通話機能と、（４）動画像撮影、停止画像撮影などのカメラ機能と、（５）スケジューラー、電話帳検索、計算機、メモ帳、通信内容の録音、端末機の状態設定、カレンダー検索、世界時間、時計アラームの設定、動画像や音楽ファイルの再生などの各種の付加機能を提供する。
【０００４】
移動通信端末機は、前記の各種の付加機能のうち、特に音楽ファイル、映画ファイルおよびゲームファイルなどをユーザがダウンロードすることを可能にするオンラインサービスを提供することにより、ユーザの文化生活の質を高めている。これらのオンラインサービスは有料で提供されているので、サービスプロバイダは、オンラインコンテンツを多様な形態で提供するための技術を活発に開発している。
【発明の開示】
【発明が解決しようとする課題】
【０００５】
しかしながら、従来技術の移動通信端末機は、以下の局面でオンラインサービスを適切に提供することができない。すなわち、ユーザは、所望のオンラインコンテンツを受信するためには、ユーザがそのようなコンテンツを欲しいときにはいつでも、オンラインコンテンツを提供するウェブサイトにアクセスし、オンラインコンテンツに含まれる内容を１つ１つ確認し、そしてオンラインコンテンツを実行しなければならない。しかしながら、これらは煩わしい手続きであり、時間とコストの面で非効率的である。
【課題を解決するための手段】
【０００６】
（本発明の要約）
（項目１）
デフォルトとして設定された１つ以上のコンテンツと１つ以上の新しいコンテンツとをサーバから受信する送受信器と、
デフォルトとして設定された該コンテンツと該新しいコンテンツとを表示する表示部と、
該送受信器と該表示部とを制御して、デフォルトとして設定された該受信されたコンテンツを表示し、該新しいコンテンツが受信された場合に、該新しいコンテンツを表示するコントローラと
を含む、ユーザにコンテンツを提供するための移動通信端末機。
（項目２）
前記コントローラは、アップデート機能を使用することにより、前記サーバ
から前記表示されるコンテンツを定期的にアップデートする、項目１に記載の
端末機。
（項目３）
前記コントローラは、前記移動通信端末機を登録サーバに登録して、該移動
通信端末機がアップデート機能を使用することを通知する、項目２に記載の端
末機。
（項目４）
前記コントローラは、ユーザの選択にしたがって前記登録を設定および解除す
る、項目３に記載の端末機。
（項目５）
前記コントローラは、前記送受信器から受信されたコンテンツに含まれる予
め設定されたオプションを分析して、その分析結果にしたがって該コンテンツ
の表示を制御する、項目１に記載の端末機。
（項目６）
前記予め設定されたオプションは、識別（ＩＤ）、シーケンス番号、開始時間
および終了時間を含む、項目５に記載の端末機。
（項目７）
前記開始時間は、前記コンテンツが表示され始める時点をカウントされる、
項目６に記載の端末機。
（項目８）
前記終了時間は、前記開始時間がカウントされ始める時点からカウントされ
る、項目６に記載の端末機。
（項目９）
前記表示部は、デフォルトとして設定された少なくとも１つ以上の前記コン
テンツと前記新しいコンテンツとを予め設定された時間間隔で順次表示する、
項目１に記載の端末機。
（項目１０）
前記表示部は、前記コンテンツを水平方向または垂直方向で順次表示する、項
目１に記載の端末機。
（項目１１）
前記表示部は、該表示部の上方、下方、側方の領域の少なくとも１つに前記
コンテンツを表示する、項目１に記載の端末機。
（項目１２）
新しいコンテンツが受信された場合に、デフォルトとして設定された１つ以上のコンテンツと、１つ以上の新しいコンテンツとを表示する移動通信端末機と、
該デフォルトのコンテンツと該新しいコンテンツとの１つ以上を該端末機に提供するサーバと
を含む、コンテンツ提供システム。
（項目１３）
前記移動通信端末機は、アップデート機能を使用することにより、前記サー
バから前記表示されるコンテンツをダウンロードする、項目１２に記載のシス
テム。
（項目１４）
前記アップデート機能を使用する少なくとも１つ以上の移動通信端末機を登録する登録サーバをさらに含む、項目１３に記載のシステム。
（項目１５）
前記端末機は、前記コンテンツに含まれる予め設定されたオプションを分析
して、その分析結果にしたがって前記コンテンツを表示する、項目１２に記載
のシステム。
（項目１６）
前記予め設定されたオプションは、識別（ＩＤ）、シーケンス番号、開始時間および終了時間を含む、項目１５に記載のシステム。
（項目１７）
前記開始時間は、対応するコンテンツが表示され始める時点からカウントさ
れる、項目１６に記載のシステム。
（項目１８）
前記終了時間は、前記開始時間がカウントされ始める時点からカウントされ
る、項目１６に記載のシステム。
（項目１９）
デフォルトとして設定された少なくとも１つ以上のコンテンツを表示することと、
新しいコンテンツが受信された場合に、既に表示しているコンテンツの表示を停止するか、または遅延することと、
該新しいコンテンツを表示することと
を含む、ユーザにコンテンツを提供するための方法。
（項目２０）
前記デフォルトのコンテンツは順次表示される、項目１９に記載の方法。
（項目２１）
前記新しいコンテンツは順次表示される、項目１９に記載の方法。
（項目２２）
前記新しいコンテンツの優先順位は前記デフォルトのコンテンツの優先順位よりも優先するように設定される、項目１９に記載の方法。
（項目２３）
前記デフォルトのコンテンツと前記新しいコンテンツとの少なくとも１つ以上に含まれる予め設定されたオプションを分析して、その分析結果にしたがって表示が実行されること
をさらに含む、項目１９に記載の方法。
（項目２４）
前記予め設定されたオプションは、識別（ＩＤ）、シーケンス番号、開始時間
および終了時間のうちの少なくとも１つ以上を含む、項目２３に記載の方法。
（項目２５）
前記開始時間は、対応するコンテンツが表示され始める時点からカウントさ
れる、項目２３に記載の方法。
（項目２６）
前記終了時間は、前記開始時間がカウントされ始める時点からカウントされる、項目２３に記載の方法。
（項目２７）
登録サーバに登録すること
をさらに含む、項目１９に記載の方法。
（項目２８）
情報を表示するスクリーンと、
通信ネットワークを介してマルチメディア案内を受信する送受信器と、
該送受信器により受信された該マルチメディア案内を保存するメモリと、
該スクリーン、該送受信器、および該メモリと協働するプロセッサであって、
該受信されたマルチメディア案内の少なくとも１つ以上の表示特徴を確認するステップと、
該確認された表示特徴に基づいて、該スクリーン上に該マルチメディア案内を表示する連続的な順序を決定するステップと、
該決定された順序にしたがって、該スクリーン上の動的または静的な位置に該マルチメディア案内を表示するステップと
を実行する、プロセッサと
を含む、移動通信装置。
（項目２９）
前記表示特徴は、前記スクリーンに表示される各マルチメディア案内に対し
て１つ以上のスクリーン位置と表示持続期間とを示す、項目２８に記載の装置。
（項目３０）
前記表示特徴は、前記スクリーンに表示される前記マルチメディア案内のサ
イズまたは解像度を示す、項目２８に記載の装置。
（項目３１）
前記プロセッサは、優先順位の設定に基づいて、異なる種類のマルチメディ
ア案内に対する連続的な表示順序を制御する、項目２８に記載の装置。
（項目３２）
緊急な案内は、緊急ではない案内よりも高い表示優先順位を有する、項目３８に記載の装置。
【０００７】
（本発明の概略）
本発明の一局面は、本発明の発明者による上述のような関連技術の欠点に関する認識に関連している。本発明にしたがうと、そのような認識に基づいて移動通信端末機とコンテンツ提供システムとの改良が達成される。
【０００８】
コンテンツ提供システムとコンテンツ提供方法との一部であり得る特定の特徴は、単に本発明の特徴を見えにくくすることを避けるためという理由から、過度に詳しくは記述されない。しかしながら、当業者によって理解されるように、そのような追加的な特徴もまた、本発明のコンテンツ提供システムとコンテンツ提供方法との一部であり得る。
【０００９】
本発明の例示的な特徴は、予め設定されたオプションにしたがって、表示スクリーンの特定の領域（例えば、予め設定された領域）に、デフォルトとして設定されたコンテンツと１つ以上の新しいコンテンツとを表示することにより、ユーザにコンテンツを効率的に提供する移動通信端末機とその方法とを提供することである。
【００１０】
少なくとも上記の特徴を全体的または部分的に実施するために、本発明は、ユーザにコンテンツを提供する移動通信端末機を提供する。上記移動通信端末機は、デフォルトとして設定された１つ以上のコンテンツと１つ以上の新しいコンテンツとをサーバから定期的に受信する送受信器と、デフォルトとして設定されたコンテンツと新しいコンテンツとを表示する表示部と、送受信器と表示部とを制御して、デフォルトとして設定された受信されたコンテンツを表示し、新しいコンテンツが受信された場合に、新しいコンテンツを表示するコントローラとを含む。
【００１１】
少なくとも上記の特徴を全体的または部分的に実施するために、本発明はまた、コンテンツ提供システムを提供する。上記コンテンツ提供システムは、新しいコンテンツが受信された場合に、デフォルトとして設定された１つ以上のコンテンツと、１つ以上の新しいコンテンツとを表示する移動通信端末機と、デフォルトのコンテンツと新しいコンテンツとの１つ以上を端末機に提供するサーバとを含む。
【００１２】
少なくとも上記の特徴を全体的または部分的に実施するために、本発明はまた、ユーザにコンテンツを提供する方法を提供する。上記方法は、デフォルトとして設定された少なくとも１つ以上のコンテンツを表示することと、新しいコンテンツが受信された場合に、既に表示しているコンテンツの表示を停止または遅延することと、新しいコンテンツを表示することとを含む。
【００１３】
少なくとも上記の特徴を全体的または部分的に実施するために、本発明はまた、ユーザにコンテンツを提供する方法を提供する。上記方法は、サーバからダウンロードされたデフォルトとして設定されたコンテンツを表示することと、少なくとも１つ以上の新しいコンテンツが受信されたか否かを確認することと、新しいコンテンツが受信された場合に、受信された新しいコンテンツに含まれる予め設定されたオプションを分析することと、その分析結果に基づいて、新しいコンテンツを順次表示することとを含む。
【００１４】
少なくとも上記の特徴を全体的または部分的に実施するために、本発明はまた、移動通信端末機を提供する。上記移動通信端末機は、情報を表示するスクリーンと、通信ネットワークを介してマルチメディア案内（ａｎｎｏｕｎｃｅｍｅｎｔ）を受信する送受信器と、送受信器により受信されたマルチメディア案内を保存するメモリと、スクリーン、送受信器、およびメモリと協働するプロセッサであって、受信されたマルチメディア案内の少なくとも１つ以上の表示特徴を確認するステップと、確認された表示特徴に基づいて、スクリーン上にマルチメディア案内を表示する連続的な順序を決定するステップと、決定された連続的な順序にしたがって、スクリーン上の動的または静的な位置にマルチメディア案内を表示するステップとを実行する、プロセッサとを含む、移動通信装置を含む。
【００１５】
本発明の追加的な利点、目的、および特徴は、以下の詳細な記述において開示され、当業者は、以下の記述を検討した後、その一部を理解し得、あるいは、本発明の実施から教示され得る。本発明の目的および利点は、特に添付の請求の範囲に指摘されているように実現され、達成され得る。
【発明を実施するための最良の形態】
【００１６】
本発明のいくつかの実施形態にしたがうと、デフォルトとして設定されたコンテンツと１つ以上の新しいコンテンツとを表示部の予め設定された領域に予め設定されたオプションにしたがって順次表示することにより、複数のコンテンツを効率的に提供するための移動通信端末機およびその方法が、添付の図面を参照して記述される。
【００１７】
以下、「移動通信端末機」とは、移動性をサポートする（または固定され得る）多様なタイプの通信装置（例えば、移動局（Ｍｏｂｉｌｅ  Ｓｔａｔｉｏｎｓ；ＭＳ）、ユーザ装備（Ｕｓｅｒ  Ｅｑｕｉｐｍｅｎｔ；ＵＥ）、ハンドセット、ＰＤＡなど）を参照するように意図されており、有線および／または無線のインタフェースを介した情報の通信を可能にする。前記移動通信端末機はバー型、折り畳み型、スライド型などのように、多様な構成を有し得る。
【００１８】
本発明において、前記移動通信端末機は、アップデート機能を使用し得、上記アップデート機能は、既に設定されたものであり得るコンテンツを提供するための付加的な機能であり得る。すなわち、アップデート機能とは、前記移動通信端末機に表示された複数のコンテンツを定期的にダウンロードして、それらを自動的にアップデートする機能を言う。
【００１９】
図１は、本発明にしたがうコンテンツ提供システムを示す。
【００２０】
図１に示すように、前記コンテンツ提供システムは、アップデート機能を使用する少なくとも１つ以上の移動通信端末機を登録する第１のサーバ２００と、該第１のサーバ２００に登録され、デフォルトとして設定されたコンテンツと新しいコンテンツとを表示部の予め設定された領域に予め設定されたオプションにしたがって順次表示する移動通信端末機１００と、少なくとも１つ以上のデフォルトのコンテンツと前記新しいコンテンツとを提供して、前記デフォルトのコンテンツと前記新しいコンテンツとに関連する予め設定されたオプションを選択的に提供する第２のサーバ３００とを含む。本明細書において、これらのコンテンツは、個人向けのコンテンツがユーザに提供されることを意図したものであるか、あるいは、コマーシャルまたは広告が不特定多数の人（ｓｏｍｅｏｎｅ）に提供されることを意図したものであり得る。
【００２１】
前記予め設定されたオプションはＩＤ、シーケンス番号、開始時間および終了時間を含み、前記第２のサーバ３００により設定されることが好ましい。
【００２２】
前記ユーザにコンテンツを提供するための移動通信端末機の例示的な構成は、図２を参照して説明される。
【００２３】
図２は本発明にしたがうコンテンツを提供するための例示的な移動通信端末機の構成を示すブロック図である。
【００２４】
図２に示されるように、本発明にしたがうコンテンツを提供するための移動通信端末機は、デフォルトとして設定されたコンテンツと新しいコンテンツ（例えば、広告）とを定期的に受信する送受信器１１０と、前記デフォルトのコンテンツと前記新しいコンテンツとを保存するメモリ（例えば、ＲＡＭ、ＲＯＭ、ハードディスクタイプメモリ、フラッシュメモリなど）１２０と、前記送受信器１１０と表示部１６０とを制御してデフォルトとして設定された前記コンテンツを表示し、新しいコンテンツが受信された場合に、前記新しいコンテンツを表示し、前記コンテンツに含まれる予め設定されたオプションを分析してその分析結果にしたがって前記デフォルトのコンテンツと前記新しいコンテンツとを表示するコントローラ１３０と、前記分析の結果に基づいて予め設定された領域に前記デフォルトのコンテンツと前記新しいコンテンツとを順次表示する表示部（例えば、ＬＣＤ、ＰＤＰなど）１６０とを含む。
【００２５】
上述のように構成されたコンテンツを提供するための例示的な方法は、図３を参照して説明される。
【００２６】
図３は本発明の一実施形態にしたがう、ユーザにコンテンツを提供するための方法のプロセスを示すフローチャートである。
【００２７】
図３に示されるように、コンテンツを提供するための方法は、アップデート機能を使用する移動通信端末機が移動通信端末機自身によって第１のサーバに登録するステップ（ステップＳ１００）と、前記移動通信端末機によってデフォルトとして設定されたコンテンツを表示部の予め設定された領域に順次表示するステップ（ステップＳ２００）と、前記移動通信端末機によって予め設定された条件が一致するか否かを確認するステップ（ステップＳ３００）と、前記予め設定された条件が一致するときに、前記移動通信端末機によって新しいコンテンツを第２のサーバからダウンロードするステップ（ステップＳ４００）と、前記移動通信端末機によって、前記ダウンロードされた新しいコンテンツを前記表示部の予め設定された領域に予め設定されたオプションにしたがって順次表示するステップ（ステップＳ５００）とを含む。
【００２８】
本発明にしたがうコンテンツを提供するための方法は、以下のように詳細に記述される。
【００２９】
まず、アップデート機能が使用される時、前記移動通信端末機のコントローラ１３０は、前記第１のサーバ２００に前記移動通信端末機を登録する（ステップＳ１００）。すなわち、前記第１のサーバ２００は、前記アップデート機能を使用する少なくとも１つ以上の移動通信端末機の登録を受信して管理することができる。ここで、前記コントローラ１３０は、前記自動アップデート機能を設定するオプションに対するユーザの選択にしたがって、前記アップデート機能を設定するか、または解除することができる。
【００３０】
前記コントローラ１３０は、デフォルトとして設定されたコンテンツを前記表示部１６０の予め設定された領域に（例えば、スクリーンの角部分、ランダムなスクリーン領域、スクリーンの縁（ｅｄｇｅ）などのようなディスプレイスクリーンの特定の部分に）順次表示する（ステップＳ２００）。デフォルトとして設定された前記コンテンツは、ユーザの選択にしたがって変更し得ることが好ましい。
【００３１】
その後、前記コントローラ１３０は、前記予め設定された条件（例えば、予め設定された時間、予め設定された地理的（ｇｅｏｇｒａｐｈｉｃａｌ）な位置）が一致するか否かを確認する（ステップＳ３００）。ここで、前記予め設定された条件は、自動または手動で変更または修正され得る。すなわち、前記ユーザが特定のコンテンツに特別な関心を持っている場合に、これは予め保存されたユーザの選好度の設定に基づいて（例えば、前記ユーザの年齢、趣味、性別など）、自動的に感知されるか、または前記移動通信端末機に搭載された入力部（例えば、聴覚、視覚および／または触覚入力が可能なキーパッド、各機能ボタン、接触感知式入力装置など）を通じて手動で達成され得る。
【００３２】
さらにその後、前記コントローラ１３０は、前記第２のサーバから前記新しいコンテンツをダウンロードすることができる（ステップＳ４００）。
【００３３】
さらにその後、前記コントローラ１３０は、前記ダウンロードされた新しいコンテンツを前記表示部１６０の前記予め決定された領域に順次表示することができる（ステップＳ５００）。
【００３４】
前記コンテンツが表示される前記移動通信端末機の表示部は、図４を参照して説明される。
【００３５】
図４は、本発明にしたがう移動通信端末機の例示的な表示部を示す図である。
【００３６】
図４に示されるように、前記移動通信端末機は、前記コンテンツを前記表示部の予め設定された領域に順次表示することができる。前記表示されたコンテンツは、定期的に（予め設定された時間間隔、例えば、５秒毎になど）またはユーザの選択にしたがってシフトされ得る。
【００３７】
前記移動通信端末機は、前記コンテンツを前記表示部の予め設定された領域、すなわち、多様な位置に（すなわち、上、下、左、右側の少なくとも１つの領域に）順次表示し得るだけではなく、上、下、左、右方向のいずれか１つの方向に前記コンテンツを選択的にシフトすることもできる。
【００３８】
連続的な（順次的な）方法で、前記スクリーンにポップアップスクリーン、ポップアップイメージなどのような形態でコンテンツを表示することにより、ユーザに前記案内（例えば、商業広告、情報公知事項）に気付かせることができる。目を引くグラフィック、アニメーション効果などは、ユーザの視線を引くために用いられ得る。前記コンテンツが連続的に（順次に）表示される前記特定位置は、動的であるか、または静的であり得る。
【００３９】
動的表示の場合、前記スクリーン位置は、スクリーン上で固定されたオフセット距離と方向とを提供するアルゴリズムによって計算され得、その結果、前記コンテンツは、スクリーンの特定位置で断続的に現れ得る。または、前記スクリーン位置は、アルゴリズムによってランダムに選択され、連続的なコンテンツまたは広告イメージがスクリーンの周囲にランダムに現れ得る。このような動的表示は、前記ユーザがスクリーンに表示されるコンテンツを見る機会を増加させ得る。
【００４０】
静的表示の場合、前記コンテンツは、前記スクリーンの特定の固定された位置（例えば、上段、下段、角部など）に常に現れ得る。例えば、コンテンツは、少なくとも前記スクリーン上部の左側コーナーに現れ得る。このことは、広告の大きさや形状のために好ましくあり得る。
【００４１】
図５は、本発明の他の実施形態にしたがうユーザにコンテンツを提供するための方法のプロセスを示すフローチャートである。
【００４２】
図５に示されるように、本発明にしたがう移動通信端末機においてユーザにコンテンツを提供するための方法は、デフォルトとして設定されたコンテンツを順次表示するステップ（ステップＳ５１０）と、少なくとも１つ以上の新しいコンテンツが受信されたかを確認するステップ（ステップＳ５２０）と、前記新しいコンテンツが受信された時、該受信された新しいコンテンツに含まれる予め設定されたオプションを分析するステップ（ステップＳ５３０）と、その分析結果に基づいて前記新しいコンテンツを順次表示する段階（Ｓ５４０）とを含む。
【００４３】
本発明にしたがう移動通信端末機においてユーザに前記コンテンツを提供するための方法は、以下で詳細に記述される。
【００４４】
まず、前記コントローラ１３０は、デフォルトとして設定された前記コンテンツを前記表示部１６０の予め設定された領域に予め設定されたオプション、例えば、前記ＩＤや前記シーケンス番号などにしたがって順次表示し得る（ステップＳ５１０）。
【００４５】
この場合、前記コントローラ１３０は、少なくとも１つ以上の新しいコンテンツが受信されたかを確認する（ステップＳ５２０）。すなわち、前記コントローラ１３０は、定期的に受信するコンテンツの他にも緊急な情報または重要な情報が頻繁に受信されたかを定期的に確認する。
【００４６】
前記コントローラ１３０は、前記新しいコンテンツが受信された時、前記予め設定されたオプション、例えば、前記ＩＤ、前記シーケンス番号、前記開始時間、前記終了時間などを分析する（ステップＳ５３０）。
【００４７】
前記コントローラ１３０は、前記分析の結果に基づいて、前記新しいコンテンツを表示し得る（ステップＳ５４０）。新しいコンテンツを表示する原理は、図６を参照して以下のように記述される。
【００４８】
図６は、本発明にしたがうコンテンツを表示する原理を説明する図である。
【００４９】
図６に示されるように、前記移動通信端末機は、前記コンテンツに対して予め設定された前記オプション、すなわち、前記ＩＤ、前記シーケンス番号、前記開始時間および終了時間に基づいて、デフォルトとして設定された前記コンテンツと前記新しいコンテンツとを順次表示することができる。より詳しくは、前記新しいコンテンツを表示しても、デフォルトとして設定された前記コンテンツの表示は、停止されないが、前記オプションにしたがって遅延され得る。
【００５０】
移動通信端末機においてコンテンツを表示するための方法は、以下のように詳細に記述される。
【００５１】
例えば、前記移動通信端末機１００は、デフォルトのコンテンツ（例えば、コマーシャル、広告のようなオンラインコンテンツ）が順次表示されているときに、新しいコンテンツを受信することができる。すなわち、前記第２のサーバ３００は、前記移動通信端末機に前記デフォルトのコンテンツを定期的に提供するだけではなく、緊急な情報（例えば、自然災害の警告）または他のタイプの重要な情報（例えば、新車情報）などの新しいコンテンツをユーザの関心にしたがって必要な時に随時提供することができる。
【００５２】
前記移動通信端末機１００は、デフォルトのコンテンツ「Ａ」を表示する間に、第１および第２の新しいコンテンツに対応する「Ｂ」および「Ｃ」を受信する時、前記新しいコンテンツを分析し、前記第１のコンテンツの「Ｂ」が、「１」のＩＤ、「２」のシーケンス番号、「１８０」秒の開始時間、「３６０」秒の終了時間を有していること、および、前記第２のコンテンツの「Ｃ」が、「１」のＩＤ、「２」のシーケンス番号、「２４０」秒の前記開始時間、「１８０」秒の終了時間を有していることを認識し得る。ここで、特定の好ましいコンテンツの前記終了時間は、そうではないコンテンツに比べて、比較的長い時間値を有し得る。
【００５３】
したがって、前記移動通信端末機１００は、前記デフォルトのコンテンツ「Ａ」の代わりに前記第１コンテンツの「Ｂ」を表示することができる。詳しく説明すると、前記移動通信端末機は、前記デフォルトのコンテンツの「Ａ」が表示され始めた時点から１８０秒が経過した時に、第１のコンテンツの「Ｂ」の表示を開始し、３６０秒以内に第１のコンテンツの「Ｂ」の表示を終了することにより、前記移動通信端末機は、１８０秒の間第１のコンテンツの「Ｂ」を表示し得る。
【００５４】
加えて、前記移動通信端末機１００は、前記デフォルトのコンテンツの「Ａ」の代わりに、前記第２のコンテンツの「Ｃ」を表示することができる。詳しく説明すると、前記移動通信端末機は、前記デフォルトのコンテンツの「Ａ」が表示され始めた時点から２４０秒が経過した時に、前記第２のコンテンツの「Ｃ」の表示を開始し、１８０秒以内に第２のコンテンツの「Ｃ」の表示を終了することにより、前記移動通信端末機は、１８０秒の間第２のコンテンツの「Ｃ」を表示し得る。
【００５５】
この場合、前記第１および第２コンテンツの前記ＢおよびＣは、２４０秒から４２０秒の区間まで重複するために、前記移動通信端末機１００は、第１コンテンツの「Ｂ」を１８０秒から２４０秒まで表示して、前記第２コンテンツの「Ｃ」を２４０秒から４２０秒まで表示し、その後第１コンテンツの「Ｂ」を４２０秒から５４０秒まで表示する。
【００５６】
結果として、前記移動通信端末機１００は、前記予め設定されたオプションに基づいて、前記第１のコンテンツの「Ｂ」を１８０秒のうち６０秒の間表示して、前記第２のコンテンツの「Ｃ」を１８０秒間表示し、その後、前記第１のコンテンツの「Ｂ」を１８０秒のうち１２０秒間表示し得る。さらに、前記デフォルトのコンテンツ「Ａ」の終了時間が比較的長く設定された場合、前記移動通信端末機は、第１および第２コンテンツの前記「Ｂ」および「Ｃ」を表示し、その後、前記デフォルトのコンテンツ「Ａ」を表示し得る。
【００５７】
前記移動通信端末機は、前記表示されるコンテンツから前記ユーザによって選択されるコンテンツを提供するために、対応するウェブサイトに接続して、対応するコンテンツを実行し得る。
【００５８】
例えば、新しいミュージックビデオを受信するためのコンテンツがユーザによって選択される時、前記移動通信端末機１００は、前記選択されたコンテンツに対応するウェブサイトに接続され、前記ユーザは、接続されたウェブサイトを介して前記新しいミュージックビデオをリアルタイムに鑑賞し得る。
【００５９】
以上、詳細に説明されたように、本発明にしたがうコンテンツを提供するための前記移動通信端末機およびその方法は、デフォルトとして設定されたコンテンツと少なくとも１つ以上の新しいコンテンツとを前記表示部の予め設定された領域に予め設定されたオプションにしたがって順次表示することにより、少なくとも１つ以上の新しいコンテンツを含む複数のコンテンツを効率的に表示し得る。
【００６０】
上記の例示的な記述において、前記第１のサーバは登録サーバとしての役目を担い、前記第２のサーバは提供サーバとしての役目を担うように記述されたが、前記第１のサーバおよび前記第２のサーバは、唯１つのサーバに統合され、その唯１つのサーバは、登録サーバと提供サーバとしての役目を担い得る。
【００６１】
また、図３に記述された方法および図５に記述された方法は、統合され得る。
【００６２】
本発明の特徴に関する上記の例示的な説明において、コンテンツを表示する通信装置（端末機、ハンドセット、ＰＤＡ、ノートブックコンピュータなど）は、ユーザのマルチメディアに対する経験を向上させるために、多様なイメージプロセシング機能を用いて実施されることが理解できるであろう。このためには多くの技術的側面が考慮されなければならない。
【００６３】
移動通信端末機の特定の特徴のために、本発明を実現するにあたって、移動性、制限されたプロセッサ性能、限定されたメモリサイズ、バッテリパワー消耗における制限、比較的小さいサイズのディスプレイスクリーンなどの多様な局面が考慮されなければならない。例えば、スクリーンの大部分がブロードキャストストリーミングサービスの表示に使用される一方で、前記スクリーンのわずかな部分（またはポップアップウィンドウ）は、複数のコンテンツを視覚的に表示するために使用され得る。しかし、比較的小さいサイズのディスプレイスクリーンまたは制限されたプロセッサ性能または制限されたバッテリパワーのために、複数のコンテンツのうち制限された個数のコンテンツのみを表示し得る。前記メモリまたは他の形態の記憶（ｓｔｏｒａｇｅ）手段は、制限された容量を有するため、保存されるコンテンツの個数が制限される必要があり得ることも理解されなければならない。例えば、前記移動通信端末機の前記メモリまたは記憶装置は、約１５分に相当するコンテンツを保存することが可能であり得る。したがって、前記ユーザが１５分以上前記移動通信端末機（または前記バッファやメモリ容量）を続けて使用する場合、「旧」コンテンツは削除されなければならず、その結果、「新」コンテンツが保存され得る。そのような削除は、ユーザの介入なしに自動的に削除されるか、または、ユーザは、「旧」データの削除を許容できるか否かを確認され得る。また、前記移動通信端末機が使用される間、前記コンテンツを完全なフルバージョンを保存する代わりに、そのようなコンテンツは、圧縮または簡略化された方式で保存され得る。例えば、前記ストリーミングブロードキャストサービスデータにおいて、コマーシャルまたは広告のようないくつかのコンテンツが検出され得るが、メモリ容量を節約するために、メモリに記録（保存）されない。ここで、コマーシャルや広告などのコンテンツは、初期に保存され得るが、前記メモリ容量がほとんど一杯であることが感知されると、任意の記録されたコンテンツは削除され得る。代替的に、前記コンテンツの前記イメージ解像度またはデータファイルの大きさは、記憶のために低減（圧縮）され、その結果、より多くのコンテンツが前記メモリに保存され得る。前記コンテンツのイメージ解像度は多少低減され得るが、それでもなお、ユーザは、最も関心を持っているコンテンツの一部を相変わらず見ることができ、満足感が得られる。
【００６４】
本発明は、一般的な移動通信システムにおいて実施されるとして記述されてきた。しかしながら、本発明の概念および教示は、共通の教示に基づいて同様な方法で動作する様々な通信スキームに適用され得るため、本発明の特徴はまた、その他のタイプの通信規格（例えば、３ＧＰＰ２，４Ｇ，ＩＥＥＥ，等）のもとで動作する通信システムに適合し、実施され得る。さらに、本発明は、一般的な発信（ｃａｌｌｉｎｇ）プロセスで広告情報をサポートするだけではなく、現在のその他の技術にも適用され得る。すなわち、デジタル放送技術（例えば、衛星、または、地上波デジタルマルチメディア放送（ＤＭＢ；Ｄｉｇｉｔａｌ  ｖｉｄｅｏ  ｂｒｏａｄｃａｓｔｉｎｇ）、携帯向けデジタルビデオ放送（ＤＶＢ−Ｈ；ｄｉｇｉｔａｌ  ｖｉｄｅｏ  ｂｒｏａｄｃａｓｔｉｎｇ  ｆｏｒ  ｈａｎｄｈｅｌｄ）、等）、インターネットサーバからのストリーミングビデオのダウンロード、無線インタフェース（例えば、Ｗｉ-Ｆｉ、Ｗｉ-ＭＡＸなど）を介するマルチメディア通信の実行などは、本発明の教示および提案から利益を受け得る実際のアプリケーションの例の一部であるが、これらには限定されない。
【００６５】
前述された多様な特性を実現するために、本発明は多様な類型のハードウェアおよび／またはソフトウェア構成要素（モジュール）を採用することができる。例えば、異なるハードウェアモジュールは、上述の方法のステップを実行するために必要な多様な回路と構成要素とを含むことができる。また、その他のソフトウェアモジュール（プロセッサおよび／または他のハードウェアにより実行される）は、本発明のステップを実行するために必要な多様なコードとプロトコルを含むことができる。
【００６６】
また、前記移動通信端末機は、記憶媒体収容部（Ｓｔｏｒａｇｅ  ｍｅｄｉａ  ｒｅｃｅｉｖｉｎｇ  ｐｏｒｔ）を含むように構成され得、上記記憶媒体収容部は、内部にデータを保存するために、外部の記憶媒体（例えば、メモリカード）が挿入され得る。また、追加的（選択的）な機能部（ｆｕｎｃｔｉｏｎ  ｕｎｉｔｓ；例えば、放送受信モジュール、ＭＰ３モジュール、インターネットバンキングモジュール、等）が提供され得る。
【００６７】
加えて、電子および／またはデジタル装置を統合する最近の傾向に順応してサポートするために移動通信端末機に実施され得る特性およびバリエーションを全て列挙することは、膨大になり得るが、当業者は、上述の機能部および／またはモジュールと同等な要素（例えば、ハードウェア、ソフトウェア、またはハードウェアとソフトウェアの結合）が、本発明にしたがう移動通信端末機に実施され得ることを理解し得る。
【００６８】
本発明は、移動通信装置を提供し、上記移動通信装置は、情報を表示するスクリーンと、通信ネットワークを介してマルチメディア案内を受信する送受信器と、該送受信器により受信された前記マルチメディア案内を保存するメモリと、スクリーン、送受信器、およびメモリと協働するプロセッサであって、前記受信されたマルチメディア案内の少なくとも１つ以上の表示特徴を確認するステップと、該確認された表示特徴に基づいて前記スクリーンにマルチメディア案内を表示する連続的な順序を決定するステップと、該決定された連続的な順序にしたがって前記スクリーン上の動的または静的な位置に前記マルチメディア案内を表示するステップとを実行する、プロセッサとを含む移動通信装置を含む。
【００６９】
ここで、マルチメディア案内は、商業的な広告や情報通知を含み、前記各表示特徴は、前記スクリーンに表示される各マルチメディア案内に対して１つ以上のスクリーン位置と表示持続期間とを示す。また、前記プロセッサは、スクリーン、送受信器、およびメモリと協働し、初期に設定されたスクリーン位置に初期に設定された表示持続期間の間、マルチメディア案内を初期に表示し、同一のスクリーン位置または１つ以上の異なるスクリーン位置にマルチメディア案内を順次表示する、および／または、同一の表示持続期間または１つ以上の異なる表示持続期間の間に前記マルチメディア案内を順次表示する。
【００７０】
本発明はまた、優先順位設定に基づいて多様なタイプのマルチメディア案内の連続的な表示順序を制御するプロセッサをも提供する。このような優先順位の設定は、ユーザの関心および／または受信された案内のタイプによって決定され得る。例えば、緊急な案内は、緊急ではない案内よりも高い表示優先順位を有する。
【００７１】
上述の実施形態および利点は、単に例示のものであり、本発明を限定するものと理解されるべきではない。ここでの教示は、その他のタイプの装置にも容易に適用され得る。本発明の詳細な記述は、例示を意図しており、請求の範囲の技術的範囲を限定することを意図してはいない。多くの代替、改変、およびバリエーションは、当業者に理解され得る。特許請求の範囲において、手段および機能項（ｍｅａｎｓ−ｐｌｕｓ−ｆｕｎｃｔｉｏｎ  ｃｌａｕｓｅ）は、引用された機能を実行するように本明細書に記述されている構造、および、構造的な等価物、さらには、等価な構造をもカバーするように意図されている。
【００７２】
（開示の概要）
ユーザにコンテンツを提供するための移動通信端末機は、デフォルトとして設定された１つ以上のコンテンツと１つ以上の新しいコンテンツとをサーバから受信する送受信器と、デフォルトとして設定された前記コンテンツと前記新しいコンテンツとを表示する表示部と、前記送受信器と前記表示部とを制御してデフォルトとして設定された前記受信されたコンテンツを表示し、新しいコンテンツが受信された場合に、前記新しいコンテンツを表示するコントローラとを含む。
【図面の簡単な説明】
【００７３】
本発明は、以下の図面を参照して詳細に記述される。同じ参照番号は、同じ要素を参照する。
【図１】本発明にしたがう例示的なコンテンツ提供システムを示す図である。
【図２】本発明にしたがうユーザにコンテンツを提供するための移動通信端末機の例示的な構造を示すブロック図である。
【図３】本発明の一実施形態にしたがうユーザにコンテンツを提供するための例示的な方法のプロセスを示すフローチャートである。
【図４】本発明にしたがう移動通信端末機の例示的な表示部を示す例示的な図である。
【図５】本発明の他の実施形態にしたがうユーザにコンテンツを提供するための例示的な方法のプロセスを示すフローチャートである。
【図６】本発明にしたがうコンテンツを表示する例示的な原理を説明するための例示的な図である。
【図１】
2007116715.tif 000003
【図２】
2007116715.tif 000004
【図３】
2007116715.tif 000005
【図４】
2007116715.tif 000006
【図５】
2007116715.tif 000007
【図６】
2007116715.tif 000008
【外国語明細書】
2007116715000001.pdf